【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
下記式（１）で表される繰り返し単位及び下記式（２）で表される繰り返し単位を含有する高分子化合物と、
発光性有機金属錯体化合物とを含有する組成物。
【化１】
2012036388.tif 000001
【化２】
2012036388.tif 000002
（式中、
Ｒ1、Ｒ2、Ｒ3、Ｒ4及びＲ5は、それぞれ独立に、水素原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換シリル基、置換シリルオキシ基、置換シリルチオ基、１価の芳香族複素環基、ヘテロアリールオキシ基、ヘテロアリールチオ基、アリールアルケニル基、アリールアルキニル基、置換カルボキシル基、又はシアノ基を表す。Ｒ1、Ｒ2、Ｒ3、Ｒ4及びＲ5のうち隣接する基同士が結合して環を形成していてもよい。但し、Ｒ3が炭素原子数１２以上のアルキル基であるか、又は、Ｒ2及びＲ4の少なくとも一方がアルキル基、アリール基若しくはアルキル基で置換されたアリール基である。
Ａｒ1及びＡｒ2は、それぞれ独立に、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換シリル基、置換シリルオキシ基、置換シリルチオ基、１価の芳香族複素環基、ヘテロアリールオキシ基、ヘテロアリールチオ基、アリールアルケニル基、アリールアルキニル基、置換カルボキシル基、及びシアノ基からなる群から選ばれる置換基を有していてもよい２価の芳香族基を表す。
Ａｒ3は、アリール基又は１価の芳香族複素環基を表す。
Ａｒ4は、水素原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の芳香族複素環基、ヘテロアリールオキシ基、ヘテロアリールチオ基、アリールアルケニル基、アリールアルキニル基、置換カルボキシル基、又はシアノ基を表す。
Ｒ6は、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の芳香族複素環基、ヘテロアリールオキシ基、ヘテロアリールチオ基、アリールアルケニル基、アリールアルキニル基、置換カルボキシル基、又はシアノ基を表す。Ｒ6が複数個存在する場合、それらは同一であっても異なっていてもよい。
ａは０又は１を表す。２個存在するａは同一であっても異なっていてもよい。）
【請求項２】
前記Ｒ2及びＲ4が、アルキル基で置換されたアリール基である、請求項１に記載の組成物。
【請求項３】
前記Ａｒ4が、水素原子、アルキル基、アリール基又は１価の芳香族複素環基である、請求項１又は２に記載の組成物。
【請求項４】
前記Ａｒ1及びＡｒ2が、それぞれ独立に、下記式（３）又は（４）で表される２価の芳香族基である、請求項１〜３のいずれか一項に記載の組成物。
【化３】
2012036388.tif 000003
【化４】
2012036388.tif 000004
（式中、Ｒ’は水素原子、又はアルキル基を表す。）
【請求項５】
組成物に含有される高分子化合物を構成する全繰り返し単位中の、前記式（１）で表される繰り返し単位と前記式（２）で表される繰り返し単位の合計の割合が、３０モル％以上である、請求項１〜４のいずれか一項に記載の組成物。
【請求項６】
組成物に含有される高分子化合物が、下記式（５）で表される繰り返し単位をさらに含有する、請求項１〜５のいずれか一項に記載の組成物。
【化５】
2012036388.tif 000005
（式中、Ａｒ5はアリーレン基又は２価の芳香族複素環基を表す。）
【請求項７】
前記式（５）で表される繰り返し単位が、下記式（６）で表される繰り返し単位である、請求項６に記載の組成物。
【化６】
2012036388.tif 000006
（式中、Ａｒ6及びＡｒ7は、それぞれ独立に、アルキル基、アルコキシ基、アルキルチオ基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、ヘテロアリールオキシ基、ヘテロアリールチオ基、アリールアルケニル基、アリールアルキニル基、置換カルボキシル基、又はシアノ基を表す。Ｒ7は、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の芳香族複素環基、ヘテロアリールオキシ基、ヘテロアリールチオ基、アリールアルケニル基、アリールアルキニル基、置換カルボキシル基、又はシアノ基を表す。ａは０又は１を表す。２個存在するａは同一であっても異なっていてもよい。Ｒ7が複数個存在する場合、それらは同一であっても異なっていてもよい。）
【請求項８】
前記式（５）で表される繰り返し単位が、下記式（７）で表される繰り返し単位及び／又は下記式（８）で表される繰り返し単位である、請求項６に記載の組成物。
【化７】
2012036388.tif 000007
【化８】
2012036388.tif 000008
（式中、Ｒ8、Ｒ9、Ｒ10及びＲ11は、それぞれ独立に、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の芳香族複素環基、ヘテロアリールオキシ基、ヘテロアリールチオ基、アリールアルケニル基、アリールアルキニル基、置換カルボキシル基、又はシアノ基を表す。ｂは０又は１を表す。）
【請求項９】
組成物に含有される高分子化合物を構成する全繰り返し単位中の、前記式（１）で表される繰り返し単位、前記式（２）で表される繰り返し単位及び前記式（５）で表される繰り返し単位の合計の割合が、８０モル％以上である、請求項６〜８のいずれか一項に記載の組成物。
【請求項１０】
組成物に含有される高分子化合物が、下記式（９）で表される繰り返し単位をさらに含有する、請求項１〜９のいずれか一項に記載の組成物。
【化９】
2012036388.tif 000009
（式中、Ａｒ8、Ａｒ9、Ａｒ10及びＡｒ14は、それぞれ独立に、アリーレン基又は２価の芳香族複素環基を表す。Ａｒ11、Ａｒ12及びＡｒ13は、それぞれ独立に、アリール基又は１価の芳香族複素環基を表す。ｘ及びｙは、それぞれ独立に、０又は１である。但し、ｘ＋ｙの値は０又は１である。）
【請求項１１】
正孔輸送材料、電子輸送材料及び発光材料（但し、発光性有機金属錯体化合物を除く）からなる群から選ばれる少なくとも一種の材料を更に含有する、請求項１〜１０のいずれか一項に記載の組成物。
【請求項１２】
請求項１〜１１のいずれか一項に記載の組成物と溶媒又は分散媒とを含有する液状組成物。
【請求項１３】
請求項１〜１１のいずれか一項に記載の組成物を含有する薄膜。
【請求項１４】
陽極及び陰極からなる電極と、該電極間に設けられた請求項１〜１１のいずれか一項に記載の組成物を含有する有機層とを有する素子。
【請求項１５】
請求項１４に記載の素子を備える面状光源。
【請求項１６】
請求項１４に記載の素子を備える表示装置。
【請求項１７】
下記式（１）で表される繰り返し単位及び下記式（２）で表される繰り返し単位を含有する高分子化合物。
【化１０】
2012036388.tif 000010
【化１１】
2012036388.tif 000011
（式中、
Ｒ1、Ｒ2、Ｒ3、Ｒ4及びＲ5は、それぞれ独立に、水素原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換シリル基、置換シリルオキシ基、置換シリルチオ基、１価の芳香族複素環基、ヘテロアリールオキシ基、ヘテロアリールチオ基、アリールアルケニル基、アリールアルキニル基、置換カルボキシル基、又はシアノ基を表す。Ｒ1、Ｒ2、Ｒ3、Ｒ4及びＲ5のうち隣接する基同士が結合して環を形成していてもよい。但し、Ｒ3が炭素原子数１２以上のアルキル基であるか、又は、Ｒ2及びＲ4の少なくとも一方がアルキル基、アリール基若しくはアルキル基で置換されたアリール基である。
Ａｒ1及びＡｒ2は、それぞれ独立に、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換シリル基、置換シリルオキシ基、置換シリルチオ基、１価の芳香族複素環基、ヘテロアリールオキシ基、ヘテロアリールチオ基、アリールアルケニル基、アリールアルキニル基、置換カルボキシル基、及びシアノ基からなる群から選ばれる置換基を有していてもよい２価の芳香族基を表す。
Ａｒ3は、アリール基又は１価の芳香族複素環基を表す。
Ａｒ4は、水素原子、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の芳香族複素環基、ヘテロアリールオキシ基、ヘテロアリールチオ基、アリールアルケニル基、アリールアルキニル基、置換カルボキシル基、又はシアノ基を表す。
Ｒ6は、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換アミノ基、置換シリル基、置換シリルオキシ基、置換シリルチオ基、置換シリルアミノ基、１価の芳香族複素環基、ヘテロアリールオキシ基、ヘテロアリールチオ基、アリールアルケニル基、アリールアルキニル基、置換カルボキシル基、又はシアノ基を表す。Ｒ6が複数個存在する場合、それらは同一であっても異なっていてもよい。
ａは０又は１を表す。２個存在するａは同一であっても異なっていてもよい。）
【請求項１８】
下記式（ｉ）で表される化合物。
【化１２】
2012036388.tif 000012
（式中、Ｒａ、Ｒｆ及びＲｇは、それぞれ独立に、水素原子又はアルキル基を表し、Ｒｂ、Ｒｃ、Ｒｄ及びＲｅは、それぞれ独立に、アルキル基、又はアルキル基で置換されたアリール基を表す。Ａｒ1及びＡｒ2は、それぞれ独立に、アルキル基、アルコキシ基、アルキルチオ基、アリール基、アリールオキシ基、アリールチオ基、アリールアルキル基、アリールアルコキシ基、アリールアルキルチオ基、アシル基、アシルオキシ基、アミド基、酸イミド基、イミン残基、置換シリル基、置換シリルオキシ基、置換シリルチオ基、１価の芳香族複素環基、ヘテロアリールオキシ基、ヘテロアリールチオ基、アリールアルケニル基、アリールアルキニル基、置換カルボキシル基、及びシアノ基からなる群から選ばれる置換基を有していてもよい２価の芳香族基を表す。Ｘは、ハロゲン原子、ホウ酸エステル残基、ホウ酸残基、下記式（ａ−１）で表される基、下記式（ａ−２）で表される基、下記式（ａ−３）で表される基、又は下記式（ａ−４）で表される基を表す。２個存在するＸは同一であっても異なっていてもよい。）
【化１３】
2012036388.tif 000013
【化１４】
2012036388.tif 000014
【化１５】
2012036388.tif 000015
【化１６】
2012036388.tif 000016
（式中、ＲＴは、アルキル基又はアリール基を表す。ＸＡは、ハロゲン原子を表す。式（ａ−４）中、３個存在するＲＴは同一であっても異なっていてもよい。）